(57)【要約】【課題】参列者の各種情報および金封の記録、整理等の処理作業が困難であった。【解決手段】参列者の複数項目の情報を入力、記録、出力、修正する手段と、特定項目毎に集計し出力する手段と、を備えることによって、参列者の情報をコンピュータ（サーバー９）で記録、集計する。  又、入力手段（入力部１）は音声入力装置６と接触式入力装置７から成り、音声入力装置６は音声認識機能を有すると共に、入力項目は参列者の識別情報および金額情報と成し、接触式入力装置７は参列者の種別分類情報と金額情報の入力項目のタッチキーを有することによって、音声入力およびパネルタッチ入力で迅速に入力し、又識別情報、金額情報および種別分類情報を参列者個々に関連付けて記録し、判別容易な個別表、一覧表、集計表を作成する。【選択図】図２
2006146768.tif 000002
【特許請求の範囲】
【請求項１】
セレモニー参列者の情報を入力、記録、整理および集計する情報管理装置であって、
参列者の複数項目の情報を入力する手段と、
入力された参列者の複数項目の情報を記録する手段と、
記録されたデータを出力する手段と、
記録されたデータを修正する手段と、
修正されたデータを出力する手段と、
特定項目毎に集計し出力する手段と、
を備えたことを特徴とするセレモニー参列者の情報管理装置。
【請求項２】
入力手段は音声入力手段と接触式入力手段から成り、
音声入力手段は音声認識機能を有すると共に、入力項目は参列者の識別情報および金額
情報と成し、
接触式入力手段は参列者の種別分類情報と金額情報の入力項目のタッチキーを有する
ことを特徴とする請求項１記載のセレモニー参列者の情報管理装置。
【請求項３】
記録手段は参列者個々について入力方式で３種類の記録蓄積を関連付けて有し、
第１の記録ファイルは音声データをかな文字とした音声入力かなデータを記録するため
の第１形式項目ファイルと、
第２の記録ファイルは音声入力かなデータを漢字変換した音声入力漢字変換データを記
録するための第２形式項目ファイルと、
第３の記録ファイルは接触式入力データを記録するための第３形式項目ファイルと、
成したことを特徴とする請求項２記載のセレモニー参列者の情報管理装置。
【請求項４】
記録手段は参列者個々について情報種類で３種類の記録ファイルを関連付けて有し、
第１の記録ファイルは参列者の識別情報のデータを記録するための第１情報内容記録フ
ァイルと、
第２の記録ファイルは金額情報のデータを記録するための第２情報内容ファイルと、
第３の記録ファイルは参列者の種別分類情報のデータを記録するための第３情報内容フ
ァイルと、
成したことを特徴とする請求項２記載のセレモニー参列者の情報管理装置。
【請求項５】
請求項３記載の入力方式で３種類の記録ファイルと請求項４記載の情報種類で３種類の
記録ファイルを関連付けて記録した
ことを特徴とするセレモニー参列者の情報管理装置。
【請求項６】
参列者の識別情報は、所属団体名、部署名、氏名の組合せ又は住所、方書、氏名の組合
せと成した
ことを特徴とする請求項４記載のセレモニー参列者の情報管理装置。
【請求項７】
参列者の種別分類情報は、ご親族様、会社関係様、ご町内様のグループ分けと成した
ことを特徴とする請求項４記載のセレモニー参列者の情報管理装置。
【請求項８】
入力手段として画像入力手段を付加すると共に、記録手段として画像ファイルを付加し
、
画像入力手段は画像入力装置と取得した画像を文字データに変換する画像文字認識機能
を有し、
画像ファイルは取得画像および取得画像から変換された文字データを記録するファイル
を有した
ことを特徴とする請求項２、３、４、５、６又は７記載のセレモニー参列者の情報管理装
置。
【発明の詳細な説明】
【技術分野】
【０００１】
本発明は、冠婚葬祭行事における受付業務、その後の処理業務の迅速実施に適したセレ
モニー参列者の情報管理装置に関する。
【背景技術】
【０００２】
従来、日常社会では多くの冠婚葬祭行事（本件出願ではセレモニーと称している）が存
在し、セレモニーでは多数の参列者の受付業務が不可欠であり、受付業務では参列者名簿
への記帳や名刺受領と共に、金封（祝儀袋や不祝儀袋）の受領が実施されている。
そして、受付業務の一環として、整理し一覧化した参列者名簿の作成、金封の確認等が
行われている。
一般的に、これらの受付業務や処理業務は、当事者に関係する組織や友人、有志等によ
りボランティア的活動によって実行されていた。
【０００３】
研究開発段階や出願段階で先行技術調査を行っておらず、記載すべき先行技術文献を知
りません。
【発明の開示】
【発明が解決しようとする課題】
【０００４】
冠婚行事の際には時間的余裕がありますが、葬祭行事はある日突然発生し、会社が関係
する様な多数の参列者が列席するセレモニーでは、参列者名簿の作成、例えば所属会社名
、部署名、氏名等の各種情報の記録、整理、集計作業や金封の処理に多大な時間と労力が
必要であった。
こうした業務の中でも煩雑な作業は、金銭を「何時」、「誰から」、「幾ら」頂いたか
を正確に処理すると共に記録する作業であり、葬祭行事で整理した参列者名簿に併せて金
銭と熨斗紙を当事者に渡すことは大変な作業であった。
【課題を解決するための手段】
【０００５】
本発明は、上記従来技術に基づく、参列者の各種情報および金封の記録、整理等の処理
作業が困難であった課題に鑑み、参列者の複数項目の情報を入力する手段と、入力された
参列者の複数項目の情報を記録する手段と、記録されたデータを出力する手段と、記録さ
れたデータを修正する手段と、修正されたデータを出力する手段と、特定項目毎に集計し
出力する手段と、を備えることによって、参列者の情報をコンピュータで記録、集計する
様にして、上記課題を解決する。
【０００６】
又、入力手段は音声入力手段と接触式入力手段から成り、音声入力手段は音声認識機能
を有すると共に、入力項目は参列者の識別情報および金額情報と成し、接触式入力手段は
参列者の種別分類情報と金額情報の入力項目のタッチキーを有することによって、音声入
力およびパネルタッチ入力で迅速に入力し、又識別情報、金額情報および種別分類情報を
参列者個々に関連付けて記録し、判別容易な個別表、一覧表、集計表を作成する。
更に、入力手段として画像入力手段を付加することによって、入力迅速化を促進したり
、金銭処理を迅速に行う。
【発明の効果】
【０００７】
要するに本発明によれば、多数の参列者の情報および金封の記録、集計などを効率的に
処理できるという顕著な効果を得られる。
又、通夜、葬儀の様に２日連続の行事や、後日のお礼状作成に、記録、集計されたデー
タを有効に利用することが出来る。
【０００８】
特に、入力方式として音声入力やタッチパネル入力を利用することにより、入力作業を
頗る迅速、容易に行うことが出来る等その実用的効果甚だ大である。
【発明を実施するための最良の形態】
【０００９】
以下、本発明の一実施形態を図面に基づいて説明する。
先ず、セレモニー参列者の情報管理に使用するハードウェアを説明すると、
図１に示す様に、参列者の各種情報を入力する入力部１と、入力データを記録（蓄積、
格納）、修正、集計等する主処理部２と、入力部１と主処理部２を接続するＬＡＮ部３か
ら成る。
入力部１は複数の入力装置４、4a…をＨＵＢ５、5a…等を介して並列にＬＡＮ部３に接
続しており、個々の入力装置４、4a…は音声入力装置６、接触式入力装置７およびパソコ
ン、ＣＰＵ等の個別制御装置８から成っている。
【００１０】
図示した入力部１の入力装置４、4a…は、ＬＣＤパネル型コンピュータと称されるもの
で、外見上はディスプレイ（ＤＳＰ）が主体で、側部に音声入力端子を有し、内部に個別
制御装置８（ＣＰＵ）を内蔵し、ディスプレイをタッチパネルの接触式入力装置７と成す
と共に、音声入力端子にマイクその他の音声入力装置６を接続し、個別制御装置８は音声
認識装置と漢字変換ソフト（辞書）等を備えている。
主処理部２はプログラム、各種データ、ファイルを記録、保管等するサーバー９、入力
装置10、表示装置11および出力装置12から成っている。
ＬＡＮ部３は入力部１の入力装置４、4a…の入力データを主処理部２へ送信する無線Ｌ
ＡＮ装置13を備えている。                                                        
尚、入力装置４、4a…はＬＣＤパネル型コンピュータを例示したが、図３に示す様に、
パソコン又はサーバー９端末などの個別制御装置８に音声入力装置６および接触式入力装
置７を接続したものでも良く、又図２に示す様に、各種辞書9b等はサーバー９に搭載した
ものと交信する様にしても良い。
【００１１】
図３に示す様に、接触式入力装置７はタッチパネル14であると共に、図示していないが
、音声入力装置６による入力データの表示機能を備えている。
タッチパネル14の表示項目は「千」、「二千」・・・「５万」、「十万」の金額キー15
、「Ａ」・・・「Ｆ」の区分キー16、テンキー17および確認キー18が表示され、各種表示
キー15〜18に接触することにより、該当表示のデータが入力されて個別制御装置８、ＬＡ
Ｎ部３を介して主処理部２のサーバー９へ送信される様になっている。                
尚、入力部１では、入力データの表示機能および入力手段（音声入力装置６やキーボー
ド）を備えることにより、即時判別できる程度の誤入力を修正入力できる様に設定するこ
とが好ましい（図２のフローにおける（修正入力）を参照）。
【００１２】
個別制御装置８が備えている音声認識装置は、音声入力装置６から入力された音声を認
識して「かな文字」のデータに変換し、図４に示す様に、「かな文字データ」はサーバー
９の受付ファイル9a（データベース）に入力方式の第１形式項目ファイル19ａに記録され
、又個別制御装置８が備えている漢字変換ソフトは各種辞書9bを備えており、「かな文字
データ」を漢字変換した「漢字変換データ」が受付ファイル9aに入力方式の第２形式項目
ファイル19ｂに記録される。
又、香典金額は接触式入力装置７のタッチパネル14の金額キー15またはテンキー17への
タッチで入力され、「金額」が受付ファイル9aに入力方式の第３形式項目ファイル19ｃに
記録され、更に、参列者の当事者との関係は、タッチパネル14の区分キー16へのタッチで
入力され、「種別分類」が受付ファイル9aに入力方式の第３形式項目ファイル19ｃに記録
される。
又、入力装置４、4a…への入力開始により、受付部門、受付Ｎｏ．、受付日時が自動入
力され、受付ファイル9aに入力方式の第４項目ファイル19ｄに記録される。
【００１３】
入力部１の個別制御装置８又はサーバー９等に備えた漢字変換ソフトの各種辞書9bの一
例としては、セレモニーの種類に応じた辞書を備えており、例えば、次の辞書である。
（１）用語辞書  セレモニーにおいてよく使われる用語によって構成されている。
（２）氏名辞書  苗字と名前によって構成されている。
（３）特定辞書  会社、団体、組合、その他法人などの固有名詞で構成されている。
（４）住所辞書  都道府県名、市区町村名などで構成されている。
【００１４】
「かな文字データ」から「漢字変換データ」に漢字変換する上記辞書の使用例としては
、参列者が会社関係だとすると、後述する様に、参列者の「識別情報」における「所属第
一情報」については『組織名、会社名、団体名』等に変換し、
同「所属第二情報」については『役職、所属部課』等の詳細情報に変換し、
「氏名」は『苗字と名前』に分けて入力されたものを氏名辞書により変換する。
尚、辞書機能を充実、向上させるために、高い頻度で発生する語句や氏名などは受付す
る前、現場で「読み方」「名称」を登録したり、業務開始前に受付担当者の音声を試験入
力しておく事により、音声確認精度を上げることが好ましく、又辞書機能に発生頻度の高
い語句や氏名はその頻度に応じて変換優先順位が上がったり、前後の語句に応じて最適な
語句を辞書より索引する様な付属機能(ＡＩ機能)を持たせることが好ましい。
【００１５】
次に、主処理部２で記録、蓄積、格納される各種データ、ファイルを説明すると、
図４および図５に示す様に、サーバー９の受付ファイル9aは個々の参列者ＡＡ〜ＺＺに
関連付けて、前記の入力方式で４種類の第１〜第４形式項目ファイル19ａ〜19ｄおよび情
報種類で４種類の第１〜第４情報内容ファイル20ａ〜20ｄを備え、各ファイル格納された
データは入力方式および情報種類の両者に関連付けされている。
【００１６】
尚、各種ファイルの関連付け方式の一例としては、個々の参列者毎に参列者コードを付
与して関連付ける方式があり、例えば、図４（ｂ）に示す様に、参列者ＡＡに参列者コー
ドとしてＡＡを付与すると共に、入力方式毎に枝番を付与し、図中、符号やコードを付し
ていないが、「所属第一情報」等の複数の詳細情報をＡＡ２等のファイルに格納している
。
【００１７】
図５に示す様に、４種類の参列者情報は、参列者の「識別情報」、「金額情報」、「種
別分類情報」および入力時の「アクセス情報」である。
参列者の「識別情報」（参列者を特定する情報）は「所属情報」（後述する）および『
苗字と名前』の「氏名」が第１情報内容ファイル20ａに記録される。
「所属情報」は「第一情報」、「第二情報」の２段階で会社関係と個人関係でデータ内
容が相違し、会社関係の「（所属）第一情報」は『組織名』、『会社名』、『団体名』な
どの「所属団体名」、「（所属）第二情報」は所属団体における『役職』、『所属部課』
などの「部署名」であり、個人関係の「所属（第一、第二）情報」は『○県○市・・・』
などの「住所」と『集合住宅名、号室』などの「方書」であり、これらが第１情報内容フ
ァイル20ａに記録される。
「金額情報」は金封の表記または封入された『○万円』などの「金額」で、接触式入力
データが優先されて第２情報内容ファイル20ｂに記録され、両者が相違し、旦つ、入力直
後のステップ「（修正入力）」で修正されなかった場合は、相違情報も第２情報内容ファ
イル20ｂに記録（図示せず）される（尚、図４に示す入力形式によるファイルでは両者が
記録される）。
「種別分類情報」は、参列者の当事者との関係を示す情報であり、『ご親族様』、『ご
親戚様』、『会社関係様』、『団体関係様』、『ご町内・地区様』、『行政関係様』、『
一般様』等のグループ分けであり、第３情報内容ファイル20ｃに記録される（タッチパネ
ル14の区分キー16ではＡ〜Ｆ）。
又、図示していないが、「種別分類情報」として『単独』、『複数』のグループ分けを
設けることが好ましく、その一例としては、参列者の一部は単独参列でなく、「ご夫婦」
、「職場一同」ｅｔｃ．の複数参列、代表者参列であり、複数参列などを表示するものと
して単複のグループ分けを設定することが好ましい。
【００１８】
「アクセス情報」は、複数の入力装置４、4a…またはその入力担当者を特定するものと
して、『受付１』などの「受付部門」、『Ｎｏ．○○』などの「受付番号」、『○月○日
○時○分』などの「受付日時」であり、第４情報内容ファイル20ｄに記録され、「受付部
門」を細分化する場合は『（親族）受付１』、『（町内）受付２』、『（会社）受付３』
、『（団体）受付４』、『（一般）受付５』などと細分化する。
尚、「アクセス情報」は、参列者情報の記録、集計などに必ずしも必要ではないが、全
体の集計時に合計数などが一致しなかった場合や、非一致集合（１枚または数枚の集計票
）を特定して確認を容易としたり、後日の整理に役立てるものである。
【００１９】
次に、本発明に係るセレモニー参列者の情報管理装置の具体的な使用方法について説明
する。
冠婚葬祭は各種のものがありますが、本件発明のセレモニー参列者の情報管理装置は全
ての分野で利用でき、例えば、
「冠」としては、新築（地鎮祭、上棟式、完成）、改装、開業、出店、開店、発表記念、
創立記念、発表会、展覧会、受賞、受勲、表彰、入賞、選挙出馬、当選、出版記念、寄贈
、寄付、激励会ｅｔｃ．
「婚」としては、結婚式、披露宴、結婚祝い、結婚記念日ｅｔｃ．
「葬」としては、通夜、葬儀ｅｔｃ．
「祭」としては、傷病見舞、傷病全快、災害見舞ｅｔｃ．がある。
図示していないが、本件発明の使用時における最初の機器操作は、「お通夜」、「葬儀
」、「婚礼」ｅｔｃ．の「受付区分」を選択入力することから開始され、具体的な使用例
として、最も業務遂行が煩雑である「お通夜、葬儀」について説明する。
【００２０】
図２に示す様に、本件発明を利用した受付業務、その後の処理業務としては、セレモニ
ーの通常の受付体制の他に、裏方として各種処理業務等を実施する体制を基本としており
、主要な処理業務は御香典を確認し、封入金額を確認し、整理した参列者名簿を作成する
ことであり、整理名簿を利用してご焼香順位の一覧表作成等に使用する。
具体的には、セレモニーの第一受付者（通例の受付者）は参列者（弔問客）をご親族様
、会社（団体）関係様、ご町内様、一般様等に分けて受付挨拶し、参列者名簿に記帳頂き
、御香典等を受領し、裏方となる第二、三受付者は本件発明を利用して受付業務後の処理
業務を遂行する。
第一受付者から香典を授受した第二受付者は弔問客情報を音声入力装置６で入力し、香
典金額や弔問客種別は接触式入力装置７のタッチパネル14から該当キー15〜18をタッチし
て入力し、受付ファイル9aに記録された複数の弔問客情報を修正者である第三受付者が修
正し、各種集計が完了した段階で御香典帳などの名簿、熨斗紙、現金、集計表を当事者に
引き渡し、又葬儀用の焼香順位表を作成する。
【００２１】
処理業務を具体的に例示すると、図２、４等に示す様に、一人の参列者ＡＡが「○○会
社、代表取締役、○○太郎」であって、「一万円」の金封を持参した場合には次の様にな
る。
参列者ＡＡが受付で参列者名簿に記帳すると共に金封を渡して受付挨拶を終了した後、
金封等を受領した第一受付者は複数（バッチ処理する任意数）の参列者ＡＢ〜ＡＺの参列
者名簿および金封などを裏方の第二受付者に手渡す。
第二受付者は金封を開封して金銭と熨斗紙に分けると共に、金封表記と封入金銭の一致
を確認し、図６に示す様に、バッチ処理分に応じた「受付件数」、「受付現金」、「実際
在高」が記載された受付票21を作成する。
そして、図２に示す様に、受付票21の作成に続いて、バッチ処理分参列者情報を順次、
入力して受付ファイル9aの各ファイルに蓄積する。
即ち、参列者ＡＡの識別情報を順次、発声すると、図４（ｂ）に示す様に、音声認識装
置で認識された「かな文字」データの「まるまるかいしゃ」、「だいひょう・・・」、「
まるまるたろう」、「いちまんえん」がサーバー９の受付ファイル9aに第１項目おける第
１形式項目ファイル19ａと第１情報内容ファイル20ａに蓄積され、漢字変換ソフトで漢字
変換された「漢字」データの『○○会社』、『代表取締役』、『○○太郎』および『一万
円』が受付ファイル9aの第２形式項目ファイル19ｂと第１情報内容ファイル20ａ、第２情
報内容ファイル20ｂに蓄積される。
第二受付者は識別情報を発声すると共に、金額情報および参列者ＡＡの種別分類情報に
ついてタッチパネル14から該当キー15〜18をタッチ入力すると、『一万円』および『会社
関係様』が受付ファイル9aの第３形式項目ファイル19ｃと第２情報内容ファイル20ｂに蓄
積される。
更に、第二受付者が入力装置４、4a…を操作入力したアクセス結果が、操作装置特定の
『取引先受付１』、特定操作装置における通番の『Ｎｏ．○○』、操作日時の『○月○日
○時○分』が受付ファイル9aの第４形式項目ファイル19ｄと第４情報内容ファイル20ｄに
蓄積される。
参列者ＡＡの全情報が入力蓄積された結果が、図４（ｂ）に示す受付データファイル22
である。
尚、音声入力装置６および接触式入力装置７で入力されたデータがタッチパネル14の一
部や個別制御装置８のディスプレイに表示される場合は、図２に示す様に、音声入力等の
直後に、ステップ「（修正入力）」で入力データを修正する。
【００２２】
図７に示す様に、担当するバッチ処理分の参列者の情報入力が完了したら、受付別の第
二受付者は集計、作表処理を遂行し、図８に示す様な受付別の受付データ一覧表23（修正
前）を出力作成し、図７に示す様に、受付データ一覧表23、熨斗紙（金封から金銭を取り
出したもの）および金銭を第三受付者に手渡す。
図８に示す受付データ一覧表23は、第二受付者が会社受付３の入力者で、第一受付者か
ら参列者２０人分のバッチ処理を行った例であり、一覧表の掲載内容例は、受付番号、参
列者特定の所属団体名および氏名、金額、合計であり、必要に応じて適宜変更する。
又、第三受付者は第二受付者と同様に裏方として業務処理する者であり、セレモニーが
大規模であれば第二受付者なども多数、複数となり、セレモニーが比較的小規模であれば
、第二受付者と第三受付者は同一人が兼務し、規模に応じて受付者の体制は適宜変更する
。
この段階では、キー入力の第３形式項目ファイル19ｃや自動入力の第４形式項目ファイ
ル19ｄに蓄積された「金額情報」、「種別分類情報」、「アクセス情報」のデータは正確
性が高いと思われるが、第１形式項目ファイル19ａに蓄積される「かなデータ」が音声確
認できなかったり、誤認識したり、第２形式項目ファイル19ｂに蓄積される「漢字データ
」に漢字変換できなかったり、誤変換したものが含まれると思われる。
【００２３】
第三受付者は第２形式項目ファイル19ｂ（第２情報内容ファイル20ｂ）と第３形式項目
ファイル19ｃ（第２情報内容ファイル20ｂ）の金額が相違していたり、第１情報内容ファ
イル20ａや受付データ一覧表23に漢字未変換データが有る場合、或いは、誤変換データが
有る場合、その他の誤入力データが有る場合に、参列者ＡＡ〜ＺＺ毎の受付データファイ
ル22、記帳名簿、熨斗紙などを確認して、入力データを修正した受付別香典明細（内容は
図示しないが図４（ｂ）の内容）を作成する。
そして、修正した入力データから「所属情報」、「氏名」および「金額」から成る修正
済の受付一覧表24（香典帳）を作成すると共に、「ご親族様」、「会社関係様」、「ご町
内様」等毎に集計した受付別香典集計表25（バッチ処理された受付データ一覧表23を受付
部門毎に集計したものに相当）を作成する。
そして、図９に示す様に、受付別香典集計表25に記載された金額と金封を開封した金銭
の一致を確認し、全受付の金額と金銭の合計高の一致確認後、受付別香典集計表25と受付
一覧表24（香典帳）を熨斗紙、金銭と共にご遺族（当事者）に手渡して受付業務およびそ
の後の処理業務が終了する。
【００２４】
以下、通夜での記録、集計データの葬儀以降での利用方法について、例えば、焼香順位
表やお礼状の作成について説明する。
図１０（ａ）に示す様に、受付ファイル9aに格納されたデータを利用した焼香順位表26
の作成方法としては、受付一覧表24（香典帳）のデータを利用すると共に、サーバーの入
力装置10などから会葬予定者を追加入力や選択して、会葬予定者名簿を作成して会葬予定
者ファイル9cに格納する。
「ご親族様」、「会社関係様」、「ご町内様」等毎のグループ順にソート（並び替え）
し（ソート結果の一例を図１１に示す）、或いは、「ご親族様」と「苗字」などで優先順
位を付けてソートし、ご遺族のお心づかいで順位変更（図中、矢印）して焼香順位表26を
作成する。
又、図１０（ｂ）に示す様に、会葬お礼状27の作成に際しては、受付ファィル9aに格納
されたデータを利用してグループ順の他、金額順や５０音順でソートして、会葬お礼状27
を作成し、発送、持参する。
【００２５】
上記実施例では、入力装置４、4a…として音声入力装置６および接触式入力装置７を使
用した例を示したが、図１２に示す様に、入力装置４、4a…としてスキャン、ＣＣＤカメ
ラ、デジタルカメラその他の画像入力装置31を併用付加しても良い。
この場合置にあっては、画像入力装置31で取得した画像データを文字データへ変換する
画像文字認識機能を個別制御装置８又はサーバー９に備えると共に、サーバー９に画像フ
ァイル32を記録手段として備えている。
【００２６】
次に、画像入力装置31を併用した場合の業務処理のフローについて説明するが、このフ
ローの概要としては、参列者が金封を持参したか否かで処理フローが相違すると共に、金
封処理を優先して当事者に引き渡すフローである。
第二受付者は第一受付者から渡された金封を画像入力装置31にセットし、「氏名」、「
金額」の画像（イメージデータ）を取り込むと共に、接触式入力装置７で「金額情報」、
「種別分類情報」を入力し、イメージデータと金額データ等を受付ファイル9aと画像ファ
イル32に蓄積する。
受付完了後に、「金額情報」だけから金銭と件数だけの金銭香典帳33を作成すると共に
、金封を開封して表記金額、封入金額、現金、金銭香典帳33を集計確認し、当事者に引き
渡して精算し、金銭関係だけを先行して業務処理する。
【００２７】
金銭（現金）関係以外の業務処理としては、記帳、名刺などから画像入力装置31で各種
情報をイメージデータで取得すると共に、音声入力装置６で各種情報を入力する。
画像入力装置31で入力され画像ファイル32に蓄積された金封と記帳等のイメージデータ
は画像文字変換認識機能で文字データに変換処理され、変換不可能なイメージデータはキ
ー入力、音声入力も併用して変換処理し、受付ファイル9aに蓄積する。
音声入力装置６で入力された各種情報は前記実施例と同様に、入力装置４、4a…の個別
制御装置８やタッチパネル14を利用して確認しながら文字データ等に変換し、受付ファイ
ル9aに蓄積する。
それ以降は、前記実施例と同様に、受付ファイル9aに蓄積された金封、記帳などの各種
情報は第三受付者がサーバー９を利用して修正、集計、作表などの処理業務を行う。
尚、画像入力装置31を併用した場合には、金封以外に御供花、御供物その他を撮影して
イメージデータを処理し、物品の香典帳の作成に利用することも出来る。
【００２８】
尚、本発明に係るセレモニー参列者の情報管理装置を「通夜、葬儀」の事例で説明した
が、前述の通り各種セレモニーで使用することが出来、更に、参列予定者が事前に判明し
ている場合の応用例を説明する。
図１３に示す様に、「冠、婚」の事例では、住所録などの参列者名簿28を招待客データ
ベース9dに事前入力し、ＱＲコード、バーコードなどの各種コード付きのご招待状29を発
行、発送し、セレモニー会場では、お祝い（金封）を受領する。
第二受付者は、ご招待状29からＱＲコード等を読み込んで参列者の「識別情報」を自動
入力すると、招待客データベース9dの参列者名簿28と自動照合する。
第一受付者からバッチ処理分の金封および受付票21を受領した第二受付者は「葬、祭」
事例と同様に金封確認を行うと共に、特に、ご招待状29を持参しない参列者や、追加参列
者について、記帳内容から「識別情報」を音声入力装置６や接触式入力装置７から入力し
、修正入力を行う。
第三受付者による修正入力や集計表の作成、当事者への手渡し、出席お礼状30の作成な
どは「通夜、葬儀」の事例と略同様である。
【図面の簡単な説明】
【００２９】
【図１】本発明に係るセレモニー参列者の情報管理装置のシステム構成図である。
【図２】セレモニー（通夜）で実行される処理のフローである。
【図３】参列者情報の入力例を示すフローである。
【図４】参列者の入力データを説明する図であり、（ａ）は入力項目を示し、（ｂ）は使用時の入力例を示す図である。
【図５】入力項目例を示す図である。
【図６】受付票の一例を示す図である。
【図７】データの修正例を示すフローである。
【図８】受付データ一覧表の一例を示す図である。
【図９】当事者への引き渡しを示すフローである。
【図１０】応用例を示すフローで、（ａ）は焼香順位表作成のフローであり、（ｂ）はお礼状作成のフローである。
【図１１】焼香順位表の一例を示す図である。
【図１２】スキャンを併用した場合のフローである。
【図１３】セレモニー（冠・婚）で実行される処理のフローである。
【符号の説明】
【００３０】
１        入力部
２        主処理部
３        ＬＡＮ部
４、4a…  入力装置
６        音声入力装置
７        接触式入力装置
９        サーバー
9a        受付ファィル
9b        各種辞書
9c        会葬予定者ファイル
9d        招待客データベース
10        入力装置
11        表示装置
12        出力装置
14        タッチパネル
19ａ      第１形式項目ファイル
19ｂ      第２形式項目ファイル
19ｃ      第３形式項目ファイル
20ａ      第１情報内容ファイル
20ｂ      第２情報内容ファイル
20ｃ      第３情報内容ファイル
31        画像入力装置
32        画像ファイル
【図１】
2006146768.tif 000003
【図２】
2006146768.tif 000004
【図４】
2006146768.tif 000005
【図５】
2006146768.tif 000006
【図６】
2006146768.tif 000007
【図８】
2006146768.tif 000008
【図１２】
2006146768.tif 000009
【図１３】
2006146768.tif 000010
【図３】
2006146768.tif 000011
【図７】
2006146768.tif 000012
【図９】
2006146768.tif 000013
【図１０】
2006146768.tif 000014
【図１１】
2006146768.tif 000015